(57)【要約】      （修正有）【課題】良好な防水性能を有する封止部材、及びワイヤレスインターホン装置を提供する。【解決手段】液体物質を遮断するために使用されるワイヤレスインターホン装置の封止部材であって、封止ブロック１１、収容孔１２、封止シート１３、およびワイヤ通過孔１４を含み、収容孔は、封止ブロックを貫通し、封止シートが収容孔内に設けられる。封止シートの外縁は封止ブロックの内表面に接続され、ワイヤ通過孔は封止シートを貫通し、封止シートはワイヤ通過孔のみにより貫通され、オープンスルー構造を形成し、封止シートは弾性材料である。【選択図】図２
0003229573.tif 000002
【実用新案登録請求の範囲】
【請求項１】
液体物質を遮断するために使用される封止部材であって、
前記封止部材は、封止ブロック、収容孔、封止シート、およびワイヤ通過孔を含み、前記収容孔は、前記封止ブロックを貫通し、前記封止シートが前記収容孔内に設けられており、前記封止シートの外縁はすべて前記封止ブロックの内表面に接続され、前記ワイヤ通過孔は前記封止シートを貫通し、前記封止シートは前記ワイヤ通過孔のみにより貫通されてオープンスルー構造を形成し、前記封止シートは弾性材料であることを特徴とする封止部材。
【請求項２】
前記封止シートは少なくとも第１封止シートおよび第２封止シートを含み、前記第１封止シートおよび前記第２封止シートは、互いに離間して設置されており、前記ワイヤ通過孔は、少なくとも第１ワイヤ通過孔および第２ワイヤ通過孔を含み、前記第１ワイヤ通過孔は前記第１封止シートを貫通し、前記第２ワイヤ通過孔は前記第２封止シートを貫通することを特徴とする請求項１に記載の封止部材。
【請求項３】
前記封止ブロックは少なくとも第１封止ブロックおよび第２封止ブロックを含み、前記第１封止ブロックには第１係合構造が設置され、前記第２封止ブロックには第２係合構造が設置されており、前記第１封止ブロックと前記第２封止ブロックは、前記第１係合構造と第２係合構造により取り外し可能に接続されることを特徴する請求項２に記載の封止部材。
【請求項４】
前記第１封止ブロックと第２封止ブロックとがバックルされて収容孔が形成し、前記第１封止シートは、第１サブ封止シートと第２サブ封止シートを含み、前記第２封止シートは、第３サブ封止シートと第４サブ封止シートを含んでおり、前記第１サブ封止シート及び前記第３サブ封止シートは、前記第１封止ブロックの表面に設置され、前記第２サブ封止シートおよび前記第４サブ封止シートは、前記第２封止ブロックの表面に設置されており、
前記第１サブ封止シートと前記第２サブ封止シートとが囲んで前記第１ワイヤ通過孔が形成され、前記第３サブ封止シートと前記第４サブ封止シートとが囲んで前記第２ワイヤ通過孔が形成されることを特徴とする請求項３に記載の封止部材。
【請求項５】
前記封止部材において、前記収容孔から離れた外表面に第１突出部および第２突出部が設置されており、前記封止ブロックは、互いに表裏に反対側に設置された第１端部と第２端部とを含み、前記第１突出部は前記第１端部の周囲に設けられ、前記第１突出部の突出高さは、前記第２突出部の突出高さよりも大きいことを特徴とする請求項１に記載の封止部材。
【請求項６】
筐体、アンテナ及び請求項１から５のいずれか一項に記載の封止部材を含むことを特徴するワイヤレスインターホン装置。
【請求項７】
前記筐体には、少なくとも１つの信号オーバーフロー孔が設けられており、前記アンテナの少なくとも一部は、前記筐体の内部に設置され、前記アンテナの少なくとも一部は、前記信号オーバーフロー孔を通過して前記筐体の外側まで延びていることを特徴とする請求項６に記載のワイヤレスインターホン装置。
【請求項８】
前記封止部材の少なくとも一部は前記信号オーバーフロー孔に設置され、前記第１突出部は前記信号オーバーフロー孔を覆うように信号オーバーフロー孔の縁部に設置され、前記第２突出部は信号オーバーフロー孔内に設置されており、前記第２突出部は信号オーバーフロー孔の内壁に当接することを特徴とする請求項７に記載のワイヤレスインターホン装置。
【請求項９】
前記アンテナは前記ワイヤ通過孔を貫通し、前記アンテナは円筒形であり、前記アンテナの断面の直径は前記ワイヤ通過孔の直径よりも大きいことを特徴とする請求項８に記載のワイヤレスインターホン装置。
【請求項１０】
前記封止シートにおいて、前記アンテナと接触する部分は、前記筐体の外側に向かって湾曲していることを特徴とする請求項９に記載のワイヤレスインターホン装置。
【考案の詳細な説明】
【技術分野】
【０００１】
本考案は、封止部材及び前記封止部材を適用したワイヤレスインターホン装置に関する。
【背景技術】
【０００２】
ワイヤレスインターホン装置は、市場で幅広く応用されており、野外などの複雑な環境で使用されることが多く、ワイヤレスインターホン装置の防水性能に対する要求が高くなっている。従来技術では、ワイヤレスインターホン装置の開口部は、ディスペンサ（ｄｉｓｐｅｎｓｅｒ）方法または機械的係合方法によって密閉されることが多いが、ディスペンサ方法または従来の機械的係合方法のいずれであっても、製造が困難であり、取り外し難いという問題がある。当業者にとって、取り付けが便利で、取り外しが容易であり、且つ、良好な防水効果を有する封止構造、およびこの構造を適用したワイヤレスインターホン装置を提供することを目的としている。
【考案の概要】
【考案が解決しようとする課題】
【０００３】
上記問題に鑑みて、本考案は、封止部材及び前記封止部材を適用したワイヤレスインターホン装置を提供する。
【課題を解決するための手段】
【０００４】
液体物質を遮断するために使用される封止部材であって、前記封止部材は、封止ブロック、収容孔、封止シート、およびワイヤ通過孔を含み、前記収容孔は、前記封止ブロックを貫通し、前記封止シートが前記収容孔に設けられる。前記封止シートの外縁は前記封止ブロックの内面に接続され、前記ワイヤ通過孔は前記封止シートを貫通し、前記封止シートはワイヤ通過孔のみにより貫通され、オープンスルー構造を形成し、前記封止シートは弾性材料である。
【０００５】
さらに、前記封止シートは少なくとも第１封止シートおよび第２封止シートを含み、前記第１封止シートおよび前記第２封止シートは、互いに離間して設置されており、前記ワイヤ通過孔は、少なくとも第１ワイヤ通過孔および第２ワイヤ通過孔を含み、前記第１ワイヤ通過孔は前記第１封止シートを貫通し、前記第２ワイヤ通過孔は前記第２封止シートを貫通する。
【０００６】
さらに、前記封止ブロックは少なくとも第１封止ブロックおよび第２封止ブロックを含み、前記第１封止ブロックには第１係合構造が設置され、前記第２封止ブロックには第２係合構造が設置されており、前記第１封止ブロックと前記第２封止ブロックは、前記第１係合構造と第２係合構造により係合している。
【０００７】
さらに、前記第１封止ブロックと第２封止ブロックとがバックルされて収容孔が形成され、前記第１封止シートは、第１サブ封止シートと第２サブ封止シートを含み、前記第２封止シートは、第３サブ封止シートと第４サブ封止シートを含む。前記第１サブ封止シート及び前記第３サブ封止シートは、前記第１封止ブロックの表面に設置され、前記第２サブ封止シートおよび前記第４サブ封止シートは、前記第２封止ブロックの表面に設置されており、前記第１サブ封止シートと前記第２サブ封止シートとが囲んで前記第１ワイヤ通過孔が形成され、前記第３サブ封止シートと前記第４サブ封止シートとが前記第２ワイヤ通過孔が形成される。
【０００８】
さらに、前記封止部材において、前記収容孔から離れた外面に第１突出部および第２突出部が設置されており、前記封止ブロックは、互いに表裏に反対側に設置された第１端部１と第２端部とを含み、前記第１突出部は前記第１端部の周囲に設けられ、前記第１突出部の突出高さは、前記第２突出部の突出高さよりも大きい。
【０００９】
本考案は、ワイヤレスインターホン装置をさらに提供し、前記ワイヤレスインターホン装置は筐体、アンテナ及び前記封止部材を含む。
【００１０】
さらに、前記筐体には、少なくとも１つの信号オーバーフロー孔が設けられており、前記アンテナの少なくとも一部は、前記筐体の内部に設置され、前記アンテナの少なくとも一部は、前記信号オーバーフロー孔を通過して前記筐体の外側まで延びている。
【００１１】
さらに、前記封止部材の少なくとも一部は前記信号オーバーフロー孔に設置され、前記第１突出部は前記信号オーバーフロー孔を覆うように信号オーバーフロー孔の縁部に設置され、前記第２突出部は信号オーバーフロー孔内に設置されており、前記第２突出部は信号オーバーフロー孔の内壁に当接する。
【００１２】
さらに、前記アンテナは前記ワイヤ通過孔を貫通し、前記アンテナは円筒形であり、前記アンテナの断面の直径は前記ワイヤ通過孔の直径よりも大きい。
【００１３】
さらに、前記封止シートにおいて、前記アンテナと接触する部分は、前記筐体の外側に向かって湾曲している。
【考案の効果】
【００１４】
信号オーバーフロー孔中に封止部材を設けることにより、アンテナがワイヤ通過孔を通過し、封止シートはアンテナに密着して、ワイヤレスインターホン装置の外側に向かって曲がるので、ワイヤレスインターホン装置の信号を保証するとともに、水蒸気を効果的に隔離することができ、複数の封止シートを設けることによりワイヤレスインターホン装置の防水（液体物質）能力を高めることができる。また、前記封止部材は取り付け及び取り外しが容易であり、且つ、良好な防水性能を有する。
【図面の簡単な説明】
【００１５】
【図１】図１は、本考案の封止部材の概略斜視図である。
【図２】図２は、本考案の封止部材の概略分解斜視図である。
【図３】図３は、本考案のワイヤレスインターホン装置の概略斜視図である。
【図４】図４は、本考案のワイヤレスインターホン装置の概略断面図である。
【考案を実施するための形態】
【００１６】
以下の具体的な実施形態と上記の図面と結合して、本考案についてさらに説明する。
【００１７】
以下の説明では、本考案をより完全に説明するために図面を参照する。図面は、本考案の例示的な実施形態を示す。ところで、本考案は、多くの異なる形態で実施することができ、本明細書に記載される例示的な実施形態に限定されると解釈されるべきではない。これらの例示的な実施形態は、本考案を徹底的かつ完全に記載し、本考案の範囲を当業者へ完全に伝えるために提供される。同様の符号は、同じまたは類似のコンポーネントを示す。
【００１８】
本明細書で使用される用語は、特定の例示的な実施形態を説明することのみを目的としており、本考案を限定することを意図するものではない。本明細書で使用する場合、単数形「一（ａ）」、「一つ（ａｎ）」、および「当該（ｔｈｅ）」は、文脈からそうでないことが明確に示されていない限り、複数形も含むことを意図している。さらに、本明細書で使用される場合、用語「含む」および／または「含む」、「含む」および／または「含む」、「有する」および／または「有する」、整数、ステップ、操作、要素、および／またはコンポーネントについて、１つ以上の他の機能、領域、整数、ステップ、操作、要素、コンポーネント、および／またはグループの存在または追加を排除しない。
【００１９】
本明細書で使用されるすべての用語（技術用語および科学用語を含む）は、特に定義されない限り、本出願が属する技術分野の当業者によって一般に理解されるのと同じ意味を有する。さらに、一般的に使用される辞書で定義されている用語は、関連技術および本考案の文脈におけるそれらの意味と一致する意味を有すると解釈されるべきであり、理想的または過度に形式的な意味で解釈されない。
【００２０】
以下、図面を参照しながら、例示的な実施形態を説明する。図面に描かれている構成要素は必ずしも縮尺通りに示されているわけではないことに注意すべきである。また、同一または類似の構成要素には、同一または類似の符号または類似の技術用語が与えられる。
【００２１】
以下、上記の図面を参考して本考案の具体的な実施形態について詳細に説明する。
【００２２】
図１及び図２に示すように、液体物質を遮断するために使用される封止部材１０であって、封止部材１０は、封止ブロック１１、収容孔１２、封止シート１３、およびワイヤ通過孔１４を含み、収容孔１２は、封止ブロック１１を貫通し、封止シート１３は収容孔１２内に設けられる。封止ブロック１１の収容孔１２と接触する表面は、内表面である。封止シート１３の外縁はすべて封止ブロック１１の内面に接続され、ワイヤ通過孔１４は封止シート１３を貫通し、封止シート１３はワイヤ通過孔１４のみにより貫通され、オープンスルー構造を形成し、封止シート１３は弾性材料からなる。
【００２３】
封止ブロック１１は弾性構造であり、ある実施形態では、硬度５０のゴム材料である。封止ブロック１１が開口構造を封止するために使用される場合、封止ブロック１１は開口内に設置され、押し出しによって変形することができるので、封止ブロック１１は前記開口を埋め込む。
【００２４】
封止ブロック１１は、互いに嵌合可能な複数のサブ封止ブロックを含み、前記サブ封止ブロックは互いに嵌合して封止ブロック１１を形成する。ある実施形態では、封止ブロック１１は、少なくとも第１封止ブロック１１１および第２封止ブロック１１２を含む。ある実施形態では、封止ブロック１１は、接続部１１３をさらに含む。接続部１１３の両端は、それぞれ第１封止ブロック１１１および第２封止ブロック１１２に接続され、接続部１１３は、第１封止ブロック１１１および第２封止ブロック１１２が固定されていない状態で失われることにより部品が損傷することを回避する。
【００２５】
第１封止ブロック１１１には第１係合構造１５１が設けられ、第２封止ブロック１１２には第２係合構造１５２が設けられている。第１封止ブロック１１１と第２封止ブロック１１２は同じ形状と大きさを有し、第１係合構造１５１は、第１封止ブロック１１１と第２封止ブロック１１２が接合する表面が当該表面から離れる方向に延長することにより形成され、第２係合構造１５２は、第１封止ブロック１１１と第２封止ブロック１１２が接合する表面が第２封止ブロック１１２の内部に凹んで形成される。第１封止ブロック１１１と第２封止ブロック１１２は、第１係合構造１５１と第２係合構造１５２により取り外し可能に接続される。
【００２６】
ある実施形態では、第１係合構造１５１は突出した円柱形状であり、第２係合構造１５２は凹孔形状であり、第１係合構造１５１と第２係合構造１５２のサイズはお互いに合致し、第１係合構造１５１と第２係合構造１５２とは係合部材１５を構成する。係合部材１５は、例えば歯形状などの他の係合構造であってもよい。
【００２７】
第１封止ブロック１１１と第２封止ブロック１１２とがバックルされて収容孔１２を形成する。封止シート１３は複数個あってもよい。ある実施形態において、封止シート１３は、少なくとも第１封止シート１３１および第２封止シート１３２を含み、第１封止シート１３１および第２封止シート１３２は、互いに離間して設置されており、ワイヤ通過孔１４は、少なくとも第１ワイヤ通過孔１４１および第２ワイヤ通過孔１４２を含み、第１ワイヤ通過孔１４１は第１封止シート１３１を貫通し、第２ワイヤ通過孔１４２は第２封止シート１３２を貫通する。
【００２８】
第１封止シート１３１は、第１サブ封止シート１３１１と第２サブ封止シート１３１２を含み、第２封止シート１３２は、第３サブ封止シート１３２１と第４サブ封止シート１３２２を含む。第１サブ封止シート１３１１及び第３サブ封止シート１３２１は、第１封止ブロック１３１の表面に設置され、第２サブ封止シート１３１２および第４サブ封止シート１３２２は、第２封止ブロック１３２の表面に設置されており、第１サブ封止シート１３１１と第２サブ封止シート１３１２とが囲んで第１ワイヤ通過孔１４１が形成され、第３サブ封止シート１３２１と第４サブ封止シート１３２２とが囲んで第２ワイヤ通過孔１４２が形成される。
【００２９】
封止シート１３は、シート状の弾性材料であってもよいし、或いはワイヤ孔１４の縁部付近に湾曲構造を有する弾性材料であってもよい。
【００３０】
封止部材１０は、突出部１６をさらに含み、ある実施形態では、突出部１６は、第１突出部１６１および第２突出部１６２を含む。第１突出部１６１および第２突出部１６２は、封止部材１０において、収容孔１２から離れた外表面に設置されている。
【００３１】
封止ブロック１１は、互いに対向する第１端部１１０１と第２端部１１０２とを含み、第１突出部１６１と第２突出部１６２とは、封止ブロック１１の周囲に設置されている。第１突出部１６１は第１端部１１０１の周囲に設けられ、第２突出部１６２は第１端部１１０１と第２端部１１０２との間に設けられ、第２突出部１６２は第２端部１１０２に設けられてもよい。第１突出部１６１の突出高さは、第２突出部１６２の突出高さよりも大きい。
【００３２】
接続部１１３は、第１突出部１６１に接続されてもよい。封止部材１０は、射出成形プロセスを使用して完成させることができ、各コンポーネント間の高精度の接合を実現する。
【００３３】
封止部材１０は、ワイヤレスインターホン装置１に応用することができ、ワイヤレスインターホン装置１のアンテナ延長部の防水性能を向上する。
【００３４】
図３および図４に示すように、ワイヤレスインターホン装置１は、筐体１７、アンテナ１９、および前記封止部材１０を含むことができる。ワイヤレスインターホン装置１は、回路基板、バッテリー、ＣＰＵ（中央処理装置）などの他の電子部品をさらに含んでもよく、これらの電子部品は筐体１７の内部に設置され、筐体１７は内部の電子部品を水蒸気から保護する。
【００３５】
筐体１７には、少なくとも１つの信号オーバーフロー孔１８が設けられており、アンテナ１９の少なくとも一部は、筐体１７の内部に設置され、アンテナ１９の少なくとも一部は、信号オーバーフロー孔１８を通過して筐体１７の外側まで延びている。
【００３６】
封止部材１０の少なくとも一部は信号オーバーフロー孔１８に設置され、第１突出部１６１は信号オーバーフロー孔１８を覆うように信号オーバーフロー孔１８の縁部に設置され、第２突出部１６２は信号オーバーフロー孔１８内に設置されており、第２突出部１６２は信号オーバーフロー孔１８の内壁に当接する。封止部材１０を使用して、信号オーバーフロー孔１８を塞ぎ、水蒸気が筐体１７の内部に入るのを防ぐことができる。
【００３７】
アンテナ１９はワイヤ通過孔１４を貫通し、アンテナ１９は円筒形であり、アンテナ１９の断面の直径はワイヤ通過孔１４の直径よりも大きい。ある実施形態では、アンテナ１９は、順次に第２ワイヤ通過孔１４２および第１ワイヤ通過孔１４１を通過し、第１ワイヤ通過孔１４１を囲む第１封止シート１３１の部分はアンテナ１９に密着する。第２ワイヤ通過孔１４２を囲む第２封止シート１３２の部分はアンテナ１９に密着しており、アンテナ１９と接触する封止シート１３の部分は、筐体１７の外側に向かって湾曲している。ある実施形態では、ワイヤ通過孔１４を囲む封止シート１３の部分は、自然に湾曲したラジアンを有し、他の実施形態では、封止シート１３は弾性シート構造であり、アンテナ１９がワイヤ孔１４を通過する時、封止シート１３が変形、アンテナ１９の表面に部分的に接着する。
【００３８】
信号オーバーフロー孔１８中に封止部材１０を設けることにより、アンテナ１９がワイヤ通過孔１４を通過し、封止シート１３はアンテナ１９に密着して、ワイヤレスインターホン装置１の外側に向かって曲がるので、ワイヤレスインターホン装置１の信号を保証するとともに、水蒸気を効果的に隔離することができ、複数の封止シート１３を設けることによりワイヤレスインターホン装置１の防水（液体物質）能力を高めることができる。
【００３９】
以上、本考案の具体的な実施形態について図面を参照しながら説明している。しかしながら、当業者は、本考案の精神および範囲から逸脱することなく、本考案の特定の実施形態に対して様々な変更および置換を行うことができることを理解することができる。これらの変更および置換は、すべて現在の実用新案の請求範囲によって定義された範囲内に含まれている。
【符号の説明】
【００４０】
１      ワイヤレスインターホン装置
１０      封止部材
１１      封止ブロック
１１１    第１封止ブロック
１１２    第２封止ブロック
１１３    接続部
１１０１  第１端部
１１０２  第２端部
１２      収容孔
１３      封止シート
１３１    第１封止シート
１３１１  第１サブ封止シート
１３１２  第２サブ封止シート
１３２    第２封止シート
１３２１  第３サブ封止シート
１３２２  第４サブ封止シート
１４      ワイヤ通過孔
１４１    第１ワイヤ通過孔
１４２    第２ワイヤ通過孔
１５      係合部材
１５１    第１係合構造
１５２    第２係合構造
１６      突出部
１６１    第１突出部
１６２    第２突出部
１７      筐体
１８      信号オーバーフロー孔
１９      アンテナ
【図１】
0003229573.tif 000003
【図２】
0003229573.tif 000004
【図３】
0003229573.tif 000005
【図４】
0003229573.tif 000006
【手続補正書】
【提出日】令和2年9月23日(2020.9.23)
【手続補正１】
【補正対象書類名】実用新案登録請求の範囲
【補正対象項目名】全文
【補正方法】変更
【補正の内容】
【実用新案登録請求の範囲】
【請求項１】
液体物質を遮断するために使用される封止部材であって、
前記封止部材は、封止ブロック、収容孔、封止シート、およびワイヤ通過孔を含み、前記収容孔は、前記封止ブロックを貫通し、前記封止シートが前記収容孔内に設けられており、前記封止シートの外縁はすべて前記封止ブロックの内表面に接続され、前記ワイヤ通過孔は前記封止シートを貫通し、前記封止シートは前記ワイヤ通過孔のみにより貫通されてオープンスルー構造を形成し、前記封止シートは弾性材料であることを特徴とする封止部材。
【請求項２】
前記封止シートは少なくとも第１封止シートおよび第２封止シートを含み、前記第１封止シートおよび前記第２封止シートは、互いに離間して設置されており、前記ワイヤ通過孔は、少なくとも第１ワイヤ通過孔および第２ワイヤ通過孔を含み、前記第１ワイヤ通過孔は前記第１封止シートを貫通し、前記第２ワイヤ通過孔は前記第２封止シートを貫通することを特徴とする請求項１に記載の封止部材。
【請求項３】
前記封止ブロックは少なくとも第１封止ブロックおよび第２封止ブロックを含み、前記第１封止ブロックには第１係合構造が設置され、前記第２封止ブロックには第２係合構造が設置されており、前記第１封止ブロックと前記第２封止ブロックは、前記第１係合構造と第２係合構造により取り外し可能に接続されることを特徴する請求項２に記載の封止部材。
【請求項４】
前記第１封止ブロックと第２封止ブロックとがバックルされて収容孔が形成し、前記第１封止シートは、第１サブ封止シートと第２サブ封止シートを含み、前記第２封止シートは、第３サブ封止シートと第４サブ封止シートを含んでおり、前記第１サブ封止シート及び前記第３サブ封止シートは、前記第１封止ブロックの表面に設置され、前記第２サブ封止シートおよび前記第４サブ封止シートは、前記第２封止ブロックの表面に設置されており、
前記第１サブ封止シートと前記第２サブ封止シートとが囲んで前記第１ワイヤ通過孔が形成され、前記第３サブ封止シートと前記第４サブ封止シートとが囲んで前記第２ワイヤ通過孔が形成されることを特徴とする請求項３に記載の封止部材。
【請求項５】
前記封止部材において、前記収容孔から離れた外表面に第１突出部および第２突出部が設置されており、前記封止ブロックは、互いに表裏に反対側に設置された第１端部と第２端部とを含み、前記第１突出部は前記第１端部の周囲に設けられ、前記第１突出部の突出高さは、前記第２突出部の突出高さよりも大きいことを特徴とする請求項１に記載の封止部材。
【請求項６】
筐体、アンテナ及び請求項１から５のいずれか一項に記載の封止部材を含むことを特徴するワイヤレスインターホン装置。
【請求項７】
前記筐体には、少なくとも１つの信号オーバーフロー孔が設けられており、前記アンテナの少なくとも一部は、前記筐体の内部に設置され、前記アンテナの少なくとも一部は、前記信号オーバーフロー孔を通過して前記筐体の外側まで延びていることを特徴とする請求項６に記載のワイヤレスインターホン装置。
【請求項８】
筐体、アンテナ及び請求項５に記載の封止部材を含むワイヤレスインターホン装置であって、
前記筐体には、少なくとも１つの信号オーバーフロー孔が設けられており、前記アンテナの少なくとも一部は、前記筐体の内部に設置され、前記アンテナの少なくとも一部は、前記信号オーバーフロー孔を通過して前記筐体の外側まで延び、
前記封止部材の少なくとも一部は前記信号オーバーフロー孔に設置され、前記第１突出部は前記信号オーバーフロー孔を覆うように信号オーバーフロー孔の縁部に設置され、前記第２突出部は信号オーバーフロー孔内に設置されており、前記第２突出部は信号オーバーフロー孔の内壁に当接することを特徴とするワイヤレスインターホン装置。
【請求項９】
前記アンテナは前記ワイヤ通過孔を貫通し、前記アンテナは円筒形であり、前記アンテナの断面の直径は前記ワイヤ通過孔の直径よりも大きいことを特徴とする請求項８に記載のワイヤレスインターホン装置。
【請求項１０】
前記封止シートにおいて、前記アンテナと接触する部分は、前記筐体の外側に向かって湾曲していることを特徴とする請求項９に記載のワイヤレスインターホン装置。